(57)【要約】【課題】管理される立場の人に負担を掛けずに外出した場所の位置情報を収得できる位置情報管理システムを提供する。【解決手段】位置情報管理システムは、外出した人が通った場所の位置情報を時刻情報と併せて収集し後刻の管理に使用するため蓄積する位置情報管理システムにおいて、予め定められた周期で位置情報と時刻情報とを収集するとともに、上記収集された位置情報と時刻情報とを内蔵する無線通信が可能なＩＣカードのメモリに記憶する外出する人が携帯する携帯端末と、上記無線通信が可能なＩＣカードのメモリに記憶されている位置情報と時刻情報とを無線通信により吸い上げるカードリーダと、上記吸い上げられた位置情報および時刻情報が格納されるデータベースと、を備える。【選択図】図１
2008276313.tif 000002
【特許請求の範囲】
【請求項１】
外出した人が通った場所の位置情報を時刻情報と併せて収集し後刻の管理に使用するため蓄積する位置情報管理システムにおいて、
予め定められた周期で位置情報と時刻情報とを収集するとともに、上記収集された位置情報と時刻情報とを内蔵する無線通信が可能なＩＣカードのメモリに記憶する外出する人が携帯する携帯端末と、
上記無線通信が可能なＩＣカードのメモリに記憶されている位置情報と時刻情報とを無線通信により吸い上げるカードリーダと、
上記吸い上げられた位置情報および時刻情報が格納されるデータベースと、
を備えることを特徴とする位置情報管理システム。
【発明の詳細な説明】
【技術分野】
【０００１】
この発明は、人の立ち回った場所を後刻確認する位置情報管理システムに関するものである。
【背景技術】
【０００２】
従来、人の立ち回った場所を後刻確認するために、その人に携帯端末を携帯してもらい、携帯端末の入力キーを操作することにより取得されるその時点の位置情報と現在時刻を、その人の識別情報とともにネットワークを介して管理センタに送信しています。そして、位置、時刻および識別情報を受信した管理センタは、それらの情報に基づき勤怠管理データベースを構築しています（例えば、特許文献１参照）。
【０００３】
【特許文献１】特開２００５−９２３４２号公報
【発明の開示】
【発明が解決しようとする課題】
【０００４】
しかし、携帯端末を外出する人に操作してもらわないと位置情報などを管理センタに送信されず、確実に位置情報などを送信しようとすると管理される立場の人の負担が増すので、十分に利用され得るシステムにはなっていないという問題がある。
【０００５】
この発明の目的は、管理される立場の人に負担を掛けずに外出した場所の位置情報を収得できる位置情報管理システムを提供することである。
【課題を解決するための手段】
【０００６】
この発明に係る位置情報管理システムは、外出した人が通った場所の位置情報を時刻情報と併せて収集し後刻の管理に使用するため蓄積する位置情報管理システムにおいて、予め定められた周期で位置情報と時刻情報とを収集するとともに、上記収集された位置情報と時刻情報とを内蔵する無線通信が可能なＩＣカードのメモリに記憶する外出する人が携帯する携帯端末と、上記無線通信が可能なＩＣカードのメモリに記憶されている位置情報と時刻情報とを無線通信により吸い上げるカードリーダと、上記吸い上げられた位置情報および時刻情報が格納されるデータベースと、を備える。
【発明の効果】
【０００７】
この発明に係る位置情報管理システムの効果は、外出する人が携帯端末を携帯していれば、特に操作しなくても位置情報および時刻情報が収得され無線通信が可能なＩＣカードのメモリに一旦記憶され、外出から戻った人が入室するためにカードリーダに携帯端末をかざすだけで位置情報および時刻情報が吸い上げられるので、外出した人が知らない間に位置情報と時刻情報が収集され、負担にならない。
【発明を実施するための最良の形態】
【０００８】
この発明に係る位置情報管理システムは、外出していた人が通った場所の位置情報を時刻情報と併せて収集し後刻の管理に使用するため蓄積するシステムである。位置情報および時刻情報は、外出している人が携帯している携帯端末の位置情報を収集する機能と時刻情報を収集する機能とを用いて所定の周期で収集され、且つ携帯端末に内蔵する無線通信が可能なＩＣカード（以下、「ＲＦＩＣカード」と称す）のメモリに一旦記憶される。そして、後刻の管理に使用するとき読み出して使えるように、携帯端末のＲＦＩＣカードに記憶されている位置情報および時刻情報をカードリーダが無線通信により吸い上げデータベースに格納しておく。
【０００９】
図１は、この発明に係る実施の形態による位置情報管理システムの構成を示す構成図である。図２は、この発明に係る実施の形態による携帯電話機の機能ブロック図である。
以下、携帯端末としてオサイフ携帯（登録商標）を例に用いてこの発明に係る実施の形態による位置情報管理システムを説明する。オサイフ携帯には、無線通信が可能なＩＣカードとしてＦｅｌｉｃａ（登録商標）チップが内蔵されている。Ｆｅｌｉｃａチップのメモリには、自由に情報を書込・読出できるエリアが設定されている。
【００１０】
この発明に係る実施の形態による位置情報管理システムは、入退室管理システムに併設されている。この入退室管理システムは、入退室が管理される区画、例えば職場などの出入口に配置された扉１の開閉を制御して管理するシステムである。そして、入退室が許可された人は、メモリの所定のエリアに個人識別番号が記憶されているＦｅｌｉｃａチップ２が内蔵される携帯電話機３を携帯している。
入退室が管理される区画内に入ろうとする人が、携帯電話機３を出入口の外側に配備されたカードリーダ４にかざすと、カードリーダ４はＩＳＯ／ＩＥＣ１８０９２に準拠した通信方式でＦｅｌｉｃａチップ２のメモリに記憶されている個人識別情報を読み取り、入退室管理装置５に読み取った個人識別情報を個人認証のために送信する。
入退室管理装置５は、受信した個人識別情報を用いて個人認証を行う。この個人認証の方法は一般的な方法であるので説明は省略する。そして、個人認証が成功したときには出入口の扉１を解錠して入室ができるようにする。
【００１１】
この発明に係る実施の形態による位置情報管理システムは、Ｇｌｏｂａｌ  Ｐｏｓｉｔｉｏｎｉｎｇ  Ｓｙｓｔｅｍ（以下、「ＧＰＳ」と称す）の衛星からの電波を受信するアンテナ６が付属され、且つＦｅｌｉｃａチップ２内蔵の携帯電話機３、Ｆｅｌｉｃａチップ２に記憶された位置情報および時刻情報を吸い上げるカードリーダ４、カードリーダ４が吸い上げた位置情報および時刻情報が格納されるデータベース７、位置情報および時刻情報を用いて経路を構成し表示する管理端末８を備える。
【００１２】
Ｆｅｌｉｃａチップ２のメモリには、少なくとも個人識別情報が記憶される第１のエリアと位置情報と時刻情報とが対にして記憶される第２のエリアが設定されている。
携帯電話機３は、携帯電話用の図示しないＲＦモジュール信号処理を行うマイコン９を備えている。そして、このマイコン９は、携帯電話の処理に係わる図示しない手段以外に、図２に示すように、ＧＰＳ用のアンテナ６で受信したＧＰＳ信号から携帯電話機３の位置を検出する位置情報検出手段１１、内蔵する時計から時刻を検出する時刻検出手段１２、所定の周期、例えば３０分または１時間などの周期で携帯電話機３の位置情報と現時刻からなる時刻情報とを対にしてＦｅｌｉｃａチップ２の対応する第２のエリアにサイクリックアクセスして記憶する経路記憶手段１３を有する。
【００１３】
カードリーダ４は、携帯電話機３がかざされると、Ｆｅｌｉｃａチップ２に記憶された個人識別情報を読み取るとともに位置情報と時刻情報とを吸い上げる。
入退室管理装置５は、個人認証が成功したとき吸い上げられた位置情報と時刻情報とをデータベース７に格納する。
管理端末８は、キーボード１６から入力された指定値、例えば日付に該当する位置情報および時刻情報をデータベース７から読み出し、その位置情報に従って地図情報内に場所をマッピングし、時刻情報に従ってマッピングされた場所を線で結び、モニタ１７上に表示する。このように地図上に場所が表示されるので、外出した先を確認することができる。
【００１４】
このように、外出する人が携帯電話機３を携帯していれば、特に操作しなくても位置情報および時刻情報が収得されてＦｅｌｉｃａチップ２内に一旦記憶され、職場に戻ってカードリーダ４に携帯電話機３をかざすだけで位置情報および時刻情報が吸い上げられるので、外出する人が知らない間に位置情報と時刻情報が収集され、負担にならない。
また、ネットワークを介して通信することがないので、如何なる場所に外出しても位置情報と時刻情報が収集できるし、ネットワークの負担にもならない。
【００１５】
なお、上述の実施の形態による携帯電話機３では所定の周期で位置情報と時刻情報とを収集しＦｅｌｉｃａチップ２のメモリに一旦記憶しているが、利用者が携帯電話機を操作して必要な時の位置情報を更に追加するようにしても良い。
また、外出に先立ち管理端末から目的地の位置情報をＦｅｌｉｃａチップ２に記憶しておき、現地に入ったとき目的地に来たことを報知するようにしても良い。また、このとき残りの目的地の数を報知するようにしても良い。このようにすることにより計画した目的地を残らずに辿ることができる。
【図面の簡単な説明】
【００１６】
【図１】この発明に係る実施の形態による位置情報管理システムの構成を示す構成図である。
【図２】この発明に係る実施の形態による携帯電話機の機能ブロック図である。
【符号の説明】
【００１７】
１  扉、２  Ｆｅｌｉｃａチップ、３  携帯電話機、４  カードリーダ、５  入退室管理装置、６  ＧＰＳ用アンテナ、７  データベース、８  管理端末、９  マイコン、１１  位置情報検出手段、１２  時刻検出手段、１３  経路記憶手段、１６  キーボード、１７  モニタ。
【図１】
2008276313.tif 000003
【図２】
2008276313.tif 000004